(57)【要約】      （修正有）【課題】簡単な構造で、低コストであり、携帯にも便利な救命具を提供する。【解決手段】救命具１は、身体に取り付ける着脱可能なバンド２と、バンド２に設けられた収納袋３と、収納袋３に紐４で連結され着色した救助旗５とを有し、救助旗５は、収納袋３に収納され、緊急時に収納袋３から空中に取り出し可能である。救助旗５に蛍光塗料を設けている。また、救助旗５は、ガス充填口部を有する密閉袋で構成され、収納袋３に空気より軽いガスを充填したガスボンベを収納し、緊急時にガスボンベの空気より軽いガスをガス充填口部から密閉袋内に充填可能に構成している。【選択図】図２
0003139688.tif 000002
【実用新案登録請求の範囲】
【請求項１】
身体に取り付ける着脱可能なバンドと、
前記バンドに設けられた収納袋と、
前記収納袋に紐で連結され着色した救助旗とを有し、
前記救助旗は、前記収納袋に収納され、緊急時に前記収納袋から空中に取り出し可能にしたことを特徴とする救命具。
【請求項２】
前記救助旗に蛍光塗料を設けたことを特徴とする請求項１に記載の救命具。
【請求項３】
前記救助旗は、ガス充填口部を有する密閉袋で構成され、
前記収納袋に空気より軽いガスを充填したガスボンベを収納し、
緊急時に前記ガスボンベの空気より軽いガスを前記ガス充填口部から前記密閉袋内に充填可能に構成したことを特徴とする請求項１又は請求項２に記載の救命具。
【考案の詳細な説明】
【技術分野】
【０００１】
この考案は、救命具に関し、特に、ハイキングや山登りを行う人や釣り人等が救援を求める場合に、ヘリコプターや母船等から発見され易いようにした救命具に関する。
【背景技術】
【０００２】
従来、ハイキングや山登りを行う人が遭難した場合に、ヘリコプターなどを使用して捜索しているが、目印になるものがなく空中から遭難者を発見することが困難であった。また、遭難した釣り人等を母船上から発見するには、船員や救助者の視認に頼っていたが、母船上からの視認によって発見するのは容易ではない。
【０００３】
このため、例えば、遭難した釣り人等を母船上から発見し易いように、レーダ電波に対する反射率を向上させ、浮揚体を浮揚させたダイバーや遭難者等をレーダによって容易に発見し得るように、空気より軽いガスを充填したときに、その外面が略々平面の組合わせとなる浮揚体本体を備えた所在位置表示用浮遊体が提案されている（特許文献１参照）。
【特許文献１】特開２００２−２００１８４号公報
【考案の開示】
【考案が解決しようとする課題】
【０００４】
しかし、従来の救命具は、構造が複雑で、製作コストが嵩み、大型で携帯に不便で、ハイキングや山登りを行う人や釣り人等が簡単に使用することができなかった。
【０００５】
この考案は、かかる点に鑑みてなされたものであって、簡単な構造で、低コストであり、携帯にも便利な救命具を提供することを目的としている。
【課題を解決するための手段】
【０００６】
前記課題を解決し、かつ目的を達成するために、この考案は、以下のように構成した。
【０００７】
請求項１に記載の考案は、身体に取り付ける着脱可能なバンドと、
前記バンドに設けられた収納袋と、
前記収納袋に紐で連結され着色した救助旗とを有し、
前記救助旗は、前記収納袋に収納され、緊急時に前記収納袋から空中に取り出し可能にしたことを特徴とする救命具である。
【０００８】
請求項２に記載の考案は、前記救助旗に蛍光塗料を設けたことを特徴とする請求項１に記載の救命具である。
【０００９】
請求項３に記載の考案は、前記救助旗は、ガス充填口部を有する密閉袋で構成され、
前記収納袋に空気より軽いガスを充填したガスボンベを収納し、
緊急時に前記ガスボンベの空気より軽いガスを前記ガス充填口部から前記密閉袋内に充填可能に構成したことを特徴とする請求項１又は請求項２に記載の救命具である。
【考案の効果】
【００１０】
前記構成により、この考案は、以下のような効果を有する。
【００１１】
請求項１に記載の考案では、身体に取り付ける着脱可能なバンドに設けた収納袋に救助旗が収納され、携帯に便利で、低コストであり、緊急時に収納袋から救助旗を空中に取り出すことで、風によってなびきヘリコプターや母船等から発見され易い。
【００１２】
請求項２に記載の考案では、救助旗に蛍光塗料を設けたことで、薄暮や夜間でも容易にヘリコプターや母船等から発見され易い。
【００１３】
請求項３に記載の考案では、緊急時にガスボンベの空気より軽いガスをガス充填口部から密閉袋内に充填することで、緊急時に救助旗を空中に高く上げることができ、ヘリコプターや母船等から発見され易い。
【考案を実施するための最良の形態】
【００１４】
以下、この考案の救命具の実施の形態について説明する。この考案の実施の形態は、考案の最も好ましい形態を示すものであり、この考案はこれに限定されない。
［第１の実施の形態］
この第１の実施の形態の救命具を、図１及び図２に基づいて説明する。図１は救助旗を収納した状態の救命具を示す図、図２は救助旗を取り出した状態の救命具を示す図である。
【００１５】
この実施の形態の救命具１は、身体に取り付ける着脱可能なバンド２と、このバンド２に設けられた収納袋３と、この収納袋３に紐４で連結され着色した救助旗５とを有する。
【００１６】
バンド２は、布、樹脂、皮などで形成され、両端部には連結具２ａ，２ｂが設けられている。連結具２ａ，２ｂは、粘着テープや樹脂製ファスナーなどで構成され、ワンタッチで着脱可能である。
【００１７】
収納袋３は、布、樹脂、皮などで形成され、本体３ａに蓋３ｂが開閉可能になっている。本体３ａには連結具３ｃが設けられ、蓋３ｂには連結具３ｄが設けられ、この連結具３ｃ、３ｄは、粘着テープなどで構成され、ワンタッチで着脱可能である。
【００１８】
紐４は、糸や樹脂で形成され、４本用いられている。紐４の一端４ａは、収納袋３の本体３ａに固定され、他端４ｂは、救助旗５に固定され、紐４は救助旗５を空中に高く上げることができる長さになっている。
【００１９】
救助旗５は、四角形状に形成されているが、正方形でも、長方形状でもよく、円形状などでもよい。また、救助旗５は、布、樹脂などで形成され、収納袋３に収納され、緊急時に収納袋３から空中に取り出し可能になっている。救助旗５は、黄色、赤色、青色などに着色され、あるいは蛍光塗料を設けてもよい。
【００２０】
この実施の形態の救命具１は、身体に取り付ける着脱可能なバンド２に設けた収納袋３に救助旗５が収納され、携帯に便利で、低コストであり、緊急時に収納袋３から救助旗５を空中に取り出すことで、風によってなびきヘリコプターや母船等から発見され易い。
【００２１】
また、救助旗５に蛍光塗料を設けたことで、薄暮や夜間でも容易にヘリコプターや母船等から発見され易い。
［第２の実施の形態］
この第２の実施の形態の救命具を、図３及び図４に基づいて説明する。図３は救助旗を収納した状態の救命具を示す図、図４は救助旗を取り出した状態の救命具を示す図である。
【００２２】
この実施の形態の救命具１は、身体に取り付ける着脱可能なバンド２と、このバンド２に設けられた収納袋３と、この収納袋３に紐４で連結され着色した救助旗５とを有し、バンド２、収納袋３、紐４は図１及び図２と同様に構成されるから同じ符号を付して説明を省略する。
【００２３】
救助旗５は、ガス充填口部１０ａを有する密閉袋１０で構成されている。密閉袋１０は、樹脂シートで形成され、ガス充填口部１０ａには逆止弁１０ｂが設けられている。逆止弁１０ｂは、ガス充填口部１０ａから救助旗５内に充填したガスが外部にでないようにしている。
【００２４】
収納袋３には、空気より軽いガスを充填したガスボンベ１１を収納している。空気より軽いガスとして例えば、水素ガスなどを用いることができる。緊急時には、ガスボンベ１１を収納袋３から取り出し、ガスボンベ１１の空気より軽いガスを、ガス充填口部１０ａから密閉袋１０内に充填可能に構成している。
【００２５】
この実施の形態の救命具１は、緊急時にガスボンベ１１の空気より軽いガスをガス充填口部１０ａから密閉袋１０内に充填することで、緊急時に救助旗５を空中に高く上げることができ、ヘリコプターや母船等から発見され易い。
【００２６】
次に、救命具１の使用方法について、図５及び図６を参照しながら詳細に説明する。
【００２７】
図５に示す使用例は、ハイキングや山登りを行う人２０が使用する場合を示す。ハイキングや山登りを行う人２０は、救命具１のバンド２を身体に付けており、携帯に便利である。そして、ハイキングや山登りを行う人２０が遭難した場合には、収納袋３から救助旗５を空中に取り出すことで、救助旗５が風によってなびき目立ちヘリコプター等から発見され易い。
【００２８】
図６に示す使用例は、釣り人３０が使用する場合を示す。釣り人３０が船に乗り釣りを行うが、この釣り人３０は、救命具１のバンド２を身体に付けており、携帯に便利である。そして、釣り人３０が遭難した場合には、収納袋３から救助旗５を空中に取り出すことで、救助旗５が風によってなびき目立ちヘリコプターや母船上等から発見され易い。
【産業上の利用可能性】
【００２９】
この考案は、特に、ハイキングや山登りを行う人や釣り人等が救援を求める場合に、ヘリコプターや母船等から発見され易いようにした救命具に適用可能であり、簡単な構造で、低コストであり、携帯にも便利である。
【図面の簡単な説明】
【００３０】
【図１】第１の実施の形態の救助旗を収納した状態の救命具を示す図である。
【図２】第１の実施の形態の救助旗を取り出した状態の救命具を示す図である。
【図３】第２の実施の形態の救助旗を収納した状態の救命具を示す図である。
【図４】第２の実施の形態の救助旗を取り出した状態の救命具を示す図である。
【図５】救命具の使用例を示す図である。
【図６】救命具の使用例を示す図である。
【符号の説明】
【００３１】
１  救命具
２  バンド
３  収納袋
４  紐
５  救助旗
１０  密閉袋
１０ａ  ガス充填口部
１０ｂ  逆止弁
【図１】
0003139688.tif 000003
【図２】
0003139688.tif 000004
【図３】
0003139688.tif 000005
【図４】
0003139688.tif 000006
【図５】
0003139688.tif 000007
【図６】
0003139688.tif 000008